(57)【要約】【課題】レンズカバーに板金を使用して落下衝撃等に対する強度を高めた際に、レンズカバーを常に確実にグランドパターンに接続できて通話感度の劣化を防止できるようにしたカメラ付き携帯端末を提供する。【解決手段】携帯端末本体１にカメラ及びグランド端子部材１５ａを備えると共に、カメラのレンズを覆った状態から前記レンズを露出させることができるように移動可能に配置されたレンズカバー１２を具備するカメラ付き携帯端末であって、携帯端末本体１には、レンズカバー１２とグランド端子部材１５ａとに常時接するグランド用板金３４を介在させる。【選択図】        図１
2004246023.tif 000002
【特許請求の範囲】
【請求項１】
携帯端末本体にカメラ及びグランド端子部材を備えると共に、前記カメラのレンズを覆った状態から前記レンズを露出させることができるように移動可能に配置されたレンズカバーを具備するカメラ付き携帯端末であって、前記携帯端末本体には、前記レンズカバーと前記グランド端子部材とに常時接するグランド用板金を介在させたことを特徴とするカメラ付き携帯端末。
【請求項２】
レンズカバーは板金からなることを特徴とする請求項１に記載のカメラ付き携帯端末。
【請求項３】
グランド用板金は導電性の板バネ材からなることを特徴とする請求項１または２に記載のカメラ付き携帯端末。
【請求項４】
グランド用板金は、レンズカバーを備えた携帯端末本体に一体に設けられてグランド部に導通する駆動ピンの移動によりレンズカバーと共に開閉作動する樹脂製のスライダと前記レンズカバーとの間に配置され、前記グランド用板金は、レンズカバーと駆動ピンとに常時接していることを特徴とする請求項１または２または３に記載のカメラ付き携帯端末。
【発明の詳細な説明】
【０００１】
【発明の属する技術分野】
本発明は、カメラのレンズカバーを備えたカメラ付き携帯端末に関するものである。
【０００２】
【従来の技術】
従来のデジタル式或いは銀塩フィルム式のカメラ或いはビデオムービー等においては、カメラのレンズ部を保護するためにスライド式等のレンズカバーを設けたものがあり、高級品に関してはデザインを良くするためにレンズカバーに金属（板金）を使用したものが多かった。上記カメラ或いはビデオムービー等においては、携帯電話のように通話信号の感度の劣化等を考慮する必要がないために静電気対策におけるような安定しない接触でのアースでも問題がなかった。
【０００３】
一方、近年では、携帯電話、ＰＨＳ（簡易型携帯電話）等の小型の携帯端末においても、所望時にカメラ撮影し得るよう携帯端末本体にカメラを備えたものがある。そして上記カメラを備えた携帯端末において、レンズ部の前側に開閉可能なレンズカバーを備えてレンズ部を保護するようにしたものがある（例えば、特許文献１、特許文献２、特許文献３等参照）。
【特許文献１】
特開２０００−３３２８７１号公報
【特許文献２】
特開２００１−３０９００３号公報
【特許文献３】
特開２００１−３１１９０８号公報
【０００４】
【発明が解決しようとする課題】
しかし、上記特許文献１、２、３は、何れもレンズカバーを備えてレンズ部の保護を目的としたことで共通しているが、レンズカバーの材質まではうたわれておらず、通話品質への影響までは考慮されていない。従って、携帯端末を落下させた場合の衝撃等に対する強度を高める目的から、レンズカバーに金属（板金）を使用した場合には、通話感度の劣化が予想され、従って、レンズカバーを含むすべての金属部品をグランド部に落としてアースする必要がある。
【０００５】
本発明は、斯かる実情に鑑みてなしたもので、レンズカバーに板金を使用して落下衝撃等に対する強度を高めた際に、レンズカバーを常に確実にグランド部に接続できて通話感度の劣化を防止できるようにしたカメラ付き携帯端末を提供しようとするものである。
【０００６】
【課題を解決するための手段】
請求項１に記載の発明は、携帯端末本体にカメラ及びグランド端子部材を備えると共に、前記カメラのレンズを覆った状態から前記レンズを露出させることができるように移動可能に配置されたレンズカバーを具備するカメラ付き携帯端末であって、前記携帯端末本体には、前記レンズカバーと前記グランド端子部材とに常時接するグランド用板金を介在させたことを特徴とするカメラ付き携帯端末、に係るものである。
【０００７】
請求項２に記載の発明は、レンズカバーは板金からなることを特徴とする請求項１に記載のカメラ付き携帯端末、に係るものである。
【０００８】
請求項３に記載の発明は、グランド用板金は導電性の板バネ材からなることを特徴とする請求項１または２に記載のカメラ付き携帯端末、に係るものである。
【０００９】
請求項４に記載の発明は、グランド用板金は、レンズカバーを備えた携帯端末本体に一体に設けられてグランド部に導通する駆動ピンの移動によりレンズカバーと共に開閉作動する樹脂製のスライダと前記レンズカバーとの間に配置され、前記グランド用板金は、レンズカバーと駆動ピンとに常時接していることを特徴とする請求項１または２または３に記載のカメラ付き携帯端末、に係るものである。
【００１０】
以下に、上記手段の作用を説明する。
【００１１】
請求項１に記載の発明では、携帯端末本体にカメラ及びグランド端子部材を備えると共に、前記カメラのレンズを覆った状態から前記レンズを露出させることができるように移動可能に配置されたレンズカバーを具備するカメラ付き携帯端末であって、前記携帯端末本体には、前記レンズカバーと前記グランド端子部材とに常時接するグランド用板金を介在させたので、レンズカバーを常に確実にグランド部に接続し、板金によるレンズカバーを設けても通話感度が劣化することがなくなり、良好な通話品質を確保できる。
【００１２】
請求項２に記載の発明では、レンズカバーを板金により構成したので、カメラ付き携帯端末を落下させた場合の衝撃等に対しレンズを保護する強度を高めることができる。
【００１３】
請求項３に記載の発明では、グランド用板金を導電性の板バネ材としたので、その弾性によりレンズカバーをグランド部に常に確実に接続できる。
【００１４】
請求項４に記載の発明では、グランド用板金は、レンズカバーを備えた携帯端末本体に一体に設けられてグランド部に導通する駆動ピンの移動によりレンズカバーと共に開閉作動する樹脂製のスライダと前記レンズカバーとの間に配置され、前記グランド用板金は、レンズカバーと駆動ピンとに常時接しているので、グランド用板金によりレンズカバーを確実にグランド部にアースでき、しかもグランド用板金は樹脂製のスライダとレンズカバーとの間の狭い間隔に配置できるのでカメラ付き携帯端末の薄型化が維持できる。
【００１５】
【発明の実施の形態】
本発明によるカメラ付き携帯端末について、図面を参照して詳細に説明する。
【００１６】
図３、図４、図５は本発明を適用する折り畳みタイプのカメラ付き携帯端末の一例を示すもので、カメラ付き携帯端末本体１は、折り畳んだ際の外側にカメラのレンズ２及びミラー３を備え内側に画面表示部４を備えた筺体表示部５と、折り畳んだ際の内側に入力キー６を備えた筺体操作部７とで構成されている。筺体表示部５に備えられるレンズ２及びミラー３は、図６に示す如く互いに隣接するよう一枚の設置盤８の表面に設けられており、設置盤８は、筺体表示部５の外側ケース９と筺体表示部５を備えた図示しない内側ケースとの間に介在する液晶補強板金１０の内部に配置され、外側ケース９を構成するアルミの外面板９ａに所定の開放窓１１を形成することによりレンズ２及びミラー３を外部へ露出している。ここで、ミラー３は、カメラで自分自身を撮影する際に自分自身がどのような状態で撮影されるか確認するためのものであり、このミラー３は備えずにレンズ２のみを備えたものであってもよい。
【００１７】
設置盤８には、筺体表示部５の内側でレンズ２及びミラー３を覆い得るよう外側ケース９の開放窓１１より一回り大きいレンズカバー１２を備えている。図６〜図９では、前記レンズカバー１２はレンズ２とミラー３を備えた設置盤８の表面に対して略平行移動させるための開閉駆動機構１３に接続されている。開閉駆動機構１３は、レンズカバー１２の台部となる所定長さの樹脂製のスライダ１４と、スライダ１４に駆動ピン１５を介して係合し且つ設置盤８の回転支持軸１６により設置盤８の表面で揺動し得るよう形成された第一のアーム部１７と、第一のアーム部１７に連動して揺動するよう設置盤８の裏面で回転支持軸１６に接続され且つ設置盤８の側方外部へ延在して設置盤８の側方外部位置に上方へ突設する凸部１８を備える第二のアーム部１９と、凸部１８に接するよう延在部２０を備えて設置盤８の裏面支持部２１，２１’に支持されるスプリング２２とを備えている。ここで、第一のアーム部１７は、駆動ピン１５を一端に配置すると共に回転支持軸１６を他端に配置し、第二のアーム部１９は、回転支持軸１６を一端に配置すると共に凸部１８を他端に配置している。又、第一のアーム部１７と第二のアーム部１９は、回転支持軸１６を介して略直線上に配置されると共に、第一のアーム部１７の長さを第二のアーム部１９の長さよりも長く形成しており、回転支持軸１６を支点とするよう第一のアーム部１７及び第二のアーム部１９を揺動させた際には、凸部１８の移動量に対して駆動ピン１５の移動量を大きくなるよう構成されている。
【００１８】
一方、設置盤８の中途位置には、スライダ１４に当接して、レンズカバー１２を、レンズ２及びミラー３を覆う所定位置に停止させる凸状の上方停止ガイド部２３を備え、設置盤８の下部には、移動したレンズカバー１２を、レンズ２及びミラー３を露出させる位置に停止させる凸状の下方停止ガイド部２４を備え、設置盤８の側部には、レンズカバー１２が移動する際に、スライダ１４の端部が接触してレンズカバー１２の移動姿勢を制御するようレンズカバー１２の移動方向に沿って形成された凸状の制御ガイド部２５を備えている。又、設置盤８を挟み込む外側ケース９には、レンズカバー１２に当接して、レンズカバー１２を、レンズ２及びミラー３を覆う位置に停止させるスポンジ製のケース側停止ガイド部２６を備えている。ここで、スポンジ製のケース側停止ガイド部２６は、カメラ付き携帯端末本体１の着信時に振動体（いわゆる着信報知用バイブレータ、図示せず）の振動によって発生するレンズカバー１２の振動音（いわゆるビビリ音）を防止するよう構成されており、振動音防止用の停止ガイド部材の材質には、振動防止に効果のある弾性体をスポンジやゴム等から適宜選択して用いることが好ましい。
【００１９】
第二のアーム部１９の凸部１８には、第二のアーム部１９を揺動させる開閉操作部２７を接続しており、開閉操作部２７は、凸部１８を挟み込んで接続する連動部材２８と、連動部材２８より延在して筺体表示部５の側部外面でスライド可能に配置される開閉ノブ２９と、設置盤８に形成された突出部３０に接触して開閉ノブ２９及び連動部材２８の移動を所定方向に規制するよう連動部材２８より延在する制御部材３１とを備えている。
【００２０】
設置盤８の裏面支持部２１，２１’に支持されるスプリング２２は、延在部２０を閉止側延在部２０ａと開放側延在部２０ｂに分けるよう屈曲点２０ｃを形成しており、第二のアーム部１９の凸部１８が屈曲点２０ｃを超えた際には、スプリング２２の弾性により凸部１８を所定の移動方向に余勢するよう構成されている。ここで、延在部２０を閉止側延在部２０ａと開放側延在部２０ｂに分ける屈曲点２０ｃの角度は凸部１８に作用するスプリング２２の弾性力が最適になるように選定される。
【００２１】
前記液晶補強板金１０は、図６、図７に示すように液晶（図示せず）を保持すると共に、グランド部ＧＰを形成している。前記第二のアーム部１９と一体の連動部材２８には、前記液晶補強板金１０に設けたグランド用金具３３に前記制御部材３１が常に押付けられて接しており、また、前記第二のアーム部１９は回転支持軸１６に常時接しており、回転支持軸１６は前記駆動ピン１５を備えた第一のアーム部１７に常時接している。更に、第二のアーム部１９と一体の凸部１８にはスプリング２２が常時接している。従って、上記開閉駆動機構１３を構成している金属部材はすべてグランド部ＧＰにアースされるよう接続されている。
【００２２】
一方、上記の形態において、前記レンズカバー１２を板金１２ａにて構成する。
【００２３】
このように、レンズカバー１２を板金１２ａで構成した場合には、カメラ付き携帯端末本体１を落下させた場合の衝撃等に対するレンズ２及びミラー３の保護強度を高めることができるが、その反面、レンズカバー１２の存在によって通話感度が劣化することが考えられるので、板金１２ａのレンズカバー１２を設けても通話感度が劣化しないようにする必要がある。このために、レンズカバー１２を常時グランド部ＧＰに接続させておくよう構成する。
【００２４】
図１、図２、図６の例では、板金１２ａで形成されたレンズカバー１２と共に開閉作動する樹脂製のスライダ１４と、前記レンズカバー１２との間に、導電性の板バネ材からなるグランド用板金３４を配置している。該板バネ材からなるグランド用板金３４は、その弾性によってグランド部ＧＰに電気的に導通している開閉駆動機構１３のグランド端子部材１５ａである駆動ピン１５と、レンズカバー１２とに常時接触するようにしている。
【００２５】
上記構成におけるアース構成経路について見ると、レンズカバー１２はグランド用板金３４を介し、第一のアーム部１７を介し、回転支持軸１６を介し、第二のアーム部１９を介し、連動部材２８を介し、グランド用金具３３を介して液晶補強板金１０（グランド部ＧＰ）にアースされ、また、メッキが施された開閉操作部２７は連動部材２８を介し、制御部材３１を介し、グランド用金具３３を介して液晶補強板金１０（グランド部ＧＰ）にアースされる。
【００２６】
以下、本発明のカメラ付き携帯端末を実施する形態例の作用を説明する。
【００２７】
カメラ付き携帯端末本体１のカメラを使用する場合には、初めに、図４、図５の折り畳まれている筺体表示部５と筺体操作部７を、図３のように開き、開閉操作部２７の開閉ノブ２９を手動で図８に矢印で示す開放側へスライドさせることにより、連動部材２８、凸部１８を介して、第二のアーム部１９及び第一のアーム部１７を揺動させ、更に第一のアーム部１７の揺動によりスライダ１４を介してレンズカバー１２を開閉ノブ２９の反スライド側へ移動させ、レンズ２とミラー３を露出する。同時に、開閉ノブ２９を開放側へ移動させることに連動して、内部のプログラム回路（図示せず）は、電話等の通信を待つ状態の着信待ち受けモードから撮影を可能にするカメラモードに切り換えられており、撮影対照物にレンズ２を向けてシャッターボタンとなるセンターキー６ａを押すことにより撮影可能となる。ここで、開閉操作部２７の開閉ノブ２９を手動で開放側にスライドさせた際には、凸部１８がスプリング２２の閉止側延在部２０ａを摺動し、凸部１８の移動位置が屈曲点２０ｃを超えた時点でスプリング２２の弾性力により凸部１８を開放側延在部２０ｂの端側へ摺動させて第二のアーム部１９、第一のアーム部１７及びレンズカバー１２を全開放側へ余勢する。なお、凸部１８の移動位置が屈曲点２０ｃを超えない時点で開閉ノブ２９のスライドを停止した場合には、スプリング２２の弾性力により凸部１８がスプリング２２の閉止側延在部２０ａを逆方向に摺動し、凸部１８を介して第二のアーム部１９、第一のアーム部１７及びレンズカバー１２を全閉止側へ戻す。
【００２８】
カメラ付き携帯端末本体１のカメラを使用しない場合には、開閉操作部２７の開閉ノブ２９を手動で図９に矢印で示す閉止側へスライドさせることにより、連動部材２８、凸部１８を介して、第二のアーム部１９及び第一のアーム部１７を逆方向へ揺動させ、更に第一のアーム部１７の逆方向の揺動によりスライダ１４を介してレンズカバー１２を開閉ノブ２９の反スライド側へ移動させ、開放窓１１を塞ぐと共にレンズ２とミラー３を覆い隠す。同時に、レンズカバー１２を閉止側へ移動させることに連動して、内部のプログラム回路（図示せず）は、撮影を可能にするカメラモードから電話等の通信を待つ状態の着信待ち受けモードに切り換えられており、電話等の通信機器を使用し得る状態にする。更に全て終了する場合には筺体表示部５と筺体操作部７を折り畳む。ここで、開閉操作部２７の開閉ノブ２９を手動で閉止側にスライドさせた際には、凸部１８がスプリング２２の開放側延在部２０ｂを摺動し、凸部１８の移動位置が屈曲点２０ｃを超えた時点でスプリング２２の弾性力により凸部１８を閉止側延在部２０ａの端側へ摺動させて第二のアーム部１９、第一のアーム部１７及びレンズカバー１２を全閉止側へ余勢する。なお、凸部１８の移動位置が屈曲点２０ｃを超えない時点で開閉ノブ２９のスライドを停止した場合には、スプリング２２の弾性力により凸部１８がスプリング２２の開放側延在部２０ｂを逆方向に摺動し、凸部１８を介して第二のアーム部１９、第一のアーム部１７及びレンズカバー１２を全開放側へ戻す。
【００２９】
上記において、前記レンズカバー１２を板金１２ａで構成したので、カメラ付き携帯端末本体１を落下させた場合の衝撃等に対しレンズ２及びミラー３を保護してその強度を高めることができる。
【００３０】
また、前記樹脂製のスライダ１４と前記レンズカバー１２との間に、導電性の板バネ材からなるグランド用板金３４を配置し、該板バネ材からなるグランド用板金３４がその弾性によって開閉駆動機構１３の駆動ピン１５（グランド端子部材１５ａ）と、レンズカバー１２とに常時接触するよう構成してあるので、携帯端末本体１が電話等の通信を待つ状態の着信待ち受けモードになった時もレンズカバー１２は常にグランド部ＧＰに接続されてアースされているので、板金１２ａのレンズカバー１２を設けても通話感度が劣化することがなくなり、良好な通話品質を確保できる。更に、グランド用板金３４は、樹脂製のスライダ１４と板金１２ａによるレンズカバー１２との間の狭い間隔に配置できるので、カメラ付き携帯端末の薄型化が維持できる。
【００３１】
尚、本発明のカメラ付き携帯端末は、上述の図示例にのみ限定されるものではなく、レンズカバーを直接指で動かして開閉させる方式にも適用できること、開閉駆動機構を手動で駆動させる代わりに電動で駆動させるようにしてもよいこと、その他、本発明の要旨を逸脱しない範囲内において種々変更を加え得ることは勿論である。
【００３２】
【発明の効果】
以上、説明したように本発明のカメラ付き携帯端末によれば、下記の如き種々の優れた効果を奏し得る。
【００３３】
請求項１に記載の発明によれば、携帯端末本体にカメラ及びグランド端子部材を備えると共に、前記カメラのレンズを覆った状態から前記レンズを露出させることができるように移動可能に配置されたレンズカバーを具備するカメラ付き携帯端末であって、前記携帯端末本体には、前記レンズカバーと前記グランド端子部材とに常時接するグランド用板金を介在させたので、レンズカバーを常にグランド部に接続し、板金によるレンズカバーを設けても通話感度が劣化することがなくなり、良好な通話品質を確保できる。
【００３４】
請求項２に記載の発明によれば、レンズカバーを板金により構成したので、カメラ付き携帯端末を落下させた場合の衝撃等に対しレンズを保護する強度を高めることができる。
【００３５】
請求項３に記載の発明によれば、グランド用板金を導電性の板バネ材としたので、その弾性によりレンズカバーをグランド部に常に確実に接続できる。
【００３６】
請求項４に記載の発明によれば、グランド用板金は、レンズカバーを備えた携帯端末本体に一体に設けられてグランド部に導通する駆動ピンの移動によりレンズカバーと共に開閉作動する樹脂製のスライダと前記レンズカバーとの間に配置され、前記グランド用板金は、レンズカバーと駆動ピンとに常時接しているので、グランド用板金によりレンズカバーを確実にグランド部にアースでき、しかもグランド用板金は樹脂製のスライダとレンズカバーとの間の狭い間隔に配置できるのでカメラ付き携帯端末の薄型化が維持できる。
【図面の簡単な説明】
【図１】本発明のカメラ付き携帯端末の形態の一例を示す一部切断側面図である。
【図２】図１の一部を拡大して示した側断面図である。
【図３】本発明を実施するカメラ付き携帯端末の筺体表示部と筺体操作部とを開いた状態を示す斜視図である。
【図４】カメラ付き携帯端末においてレンズカバーを閉じた状態を示す正面図である。
【図５】カメラ付き携帯端末においてレンズカバーを開いた状態を示す正面図である。
【図６】本発明を実施するカメラ付き携帯端末本体の構成部品図である。
【図７】図６の外側ケースを除く構成部品が組み立てられた状態を示す斜視図である。
【図８】レンズカバーが閉じた際のスプリングとアーム部の位置を示す概略図である。
【図９】レンズカバーが開いた際のスプリングとアーム部の位置を示す概略図である。
【符号の説明】
１    携帯端末本体
２    レンズ
１２    レンズカバー
１２ａ                板金
１３    開閉駆動機構
１４    スライダ
１５    駆動ピン
１５ａ                グランド端子部材
３４    グランド用板金
ＧＰ        グランド部
【図１】
2004246023.tif 000003
【図２】
2004246023.tif 000004
【図３】
2004246023.tif 000005
【図４】
2004246023.tif 000006
【図５】
2004246023.tif 000007
【図６】
2004246023.tif 000008
【図７】
2004246023.tif 000009
【図８】
2004246023.tif 000010
【図９】
2004246023.tif 000011